(57)【要約】本発明は、網目構造を有するセルロースからなる支持体であって、支持体の乾燥質量に対して２０倍以上の保水量を有する支持体を提供する。本発明の支持体は、機能性成分を含有する溶液または分散液に浸漬することで、溶液中または分散液中の機能性成分を効率よく吸着または吸収することができる。例えば、機能性成分を含有する湿潤組成物を得ることができる。このような支持体および湿潤組成物は、優れた機能性および保湿性を有し、医薬品、食品、医薬部外品、化粧品、トイレタリー製品などの基材として使用し得る。【特許請求の範囲】
【請求項１】
網目構造を有するセルロースからなる支持体であって、該支持体の乾燥質量に対して、２０倍以上の質量の水を保持し得る、支持体。
【請求項２】
請求項１に記載の支持体を、所望の成分を含有する溶液または分散液に浸漬して得られる、湿潤組成物。
【請求項３】
前記湿潤組成物がシート状である、請求項２に記載の湿潤組成物。
【請求項４】
前記成分が、化粧品原料である、請求項２または３に記載の湿潤組成物。
【発明の詳細な説明】
【技術分野】
【０００１】
本発明は、網目構造を有するセルロースからなる、保水性に優れた支持体に関する。
【背景技術】
【０００２】
微生物が産生するセルロースとしては、例えば食品では、「ナタデココ」として知られる寒天様の物質が挙げられる。この物質は、直径が１μｍ以下の微細なセルロース繊維がランダムに絡み合あった網目構造を有している。
近年、網目構造を有するセルロースを、化粧品、医薬品、食品の材料あるいは原料として用いることが提案されており、次世代の液晶原料としても期待されている（特開昭６２−１７５１９０号公報および特開平１０−３１０６０１号公報を参照）。
このような網目構造を有するセルロースは、保水性を有している。しかし、非常に微細な繊維が絡み合っているため、例えば、機能性を有する成分を繊維間（網目内）に吸着または吸収させることは難しく、このような成分は単に表面に付着するにすぎない。
【発明の開示】
【０００３】
本発明者は、上記課題を鑑み、鋭意検討を行ったところ、支持体の乾燥質量に対して特定の量以上の水を保持し得る支持体は、溶液中または分散液中の所望の成分を支持体内部に吸着または吸収し得ることを見出した。
本発明は、網目構造を有するセルロースからなる支持体であって、該支持体の乾燥質量に対して、２０倍以上の質量の水を保持し得る支持体を提供する。
本発明はまた、所望の成分を含有する溶液または分散液に上記支持体を浸漬して得られる、湿潤組成物を提供する。
１つの実施態様においては、上記湿潤組成物は、シート状である。
１つの実施態様においては、上記成分は、化粧品原料である。
本発明の支持体は、所望の成分を含有する溶液または分散液に浸漬することにより、該溶液中または分散液中の所望の成分を該支持体内部に吸着または吸収することができるため、例えば、機能性成分を含有する湿潤組成物を得ることができる。
【発明を実施するための最良の形態】
【０００４】
以下、本発明の支持体および湿潤組成物について説明する。
（支持体）
本発明の支持体は、網目構造を有するセルロースからなる。支持体中の網目構造を有する成分は、支持体の乾燥質量中の９０質量％以上がセルロースおよびその誘導体であることが好ましい。
このような支持体は、例えば、セルロースを産生する微生物を培養することによって得られる。このようなセルロースを産生する微生物としては、アセトバクター属、シュードモナス属、アグロバクテリウム属などに属する微生物が挙げられる。この中でもセルロースの産生量が多い点から、アセトバクター属が好ましい。
培養方法としては、静置培養、撹拌培養などが挙げられる。例えば、培養液を撹拌せずに行う静置培養の場合、微生物によって産生されたセルロースが培養液の表面に集積することにより、網目構造を有するセルロース膜が形成される。培養が進むにつれて肥厚したセルロースからなる膜状の支持体が得られる。網目構造を有するセルロースを容易に回収でき、このセルロースがシート状である点で、静置培養が好ましい。
本発明の支持体を得るための培養条件は、通常の培養条件であり得る。培養液は、微生物の栄養素として炭素源、窒素源、無機塩類、必要に応じてアミノ酸、ビタミンなどを含有する。特に、これらの栄養分を含有している穀物（コメ、ムギなど）、野菜（キャベツ、ケール、タマネギなど）、果物（ミカンなどの柑橘類、イチゴ、パイナップルなど）などを培地成分として用いると、得られるセルロースの臭いが少なく、安全性の点からも好ましい。穀物の発酵により得られる酢を培地成分として用いてもよい。培養におけるｐＨは、用いる微生物に応じて適宜設定され得、好ましくはｐＨ２〜９、より好ましくはｐＨ２〜７程度である。
このように調製された培養液に、上述のセルロースを産生する微生物を播種し、好ましくは静置培養を行う。培養温度は、好ましくは１０℃〜４０℃、より好ましくは２５℃〜４０℃である。培養の期間は、好ましくは１日〜６０日、より好ましくは５日〜１４日である。このようにして培養することで、微生物が産生したセルロースがランダムに絡み合い、網目構造を有するセルロースを得ることができる。
得られた網目構造を有するセルロースは、そのまま本発明の支持体として利用し得る。しかし、セルロースが絡み合う過程で、培養液中の成分、微生物由来の有機酸などを含有しているため、水で洗浄することが好ましい。例えば、アセトバクター属に属する微生物から得られた網目構造を有するセルロースは、強い酢酸臭を有するため、洗浄液が中性付近となるまで水で繰り返して洗浄することが好ましい。
本発明の支持体は、支持体の乾燥質量に対して２０倍以上の保水量を有する。保水量は、例えば、以下の方法で求めることができる。まず、得られた支持体を、７日間水に浸漬した後、質量を測定する。この質量を飽和湿質量とする。次いで、水で飽和させた支持体を、凍結乾燥させて、乾燥後の質量を測定する。飽和湿質量から乾燥後の質量を差し引くことにより保水量が求められる。
本発明の支持体はシート状の形態で得られることが好ましい。このようにシート状で得られることにより、様々な形態に加工し易い。さらに、２０ｍｍ程度の厚みを有するシート状の支持体を、スライスすることによって、厚みの薄いシート状の支持体としてもよい。支持体の厚みは、特に制限されず、例えば、溶液または分散液に浸漬して成分をシートに効率よく吸着または吸収させる点から、支持体の質量が飽和湿質量に対して９５質量％以上の状態で、厚みは５ｍｍ以下であることが好ましい。
（湿潤組成物）
本発明の湿潤組成物は、上記支持体を、所望の成分を含有する溶液または分散液に浸漬することにより得られる。例えば、水で飽和させた支持体を、所望の成分を含有する溶液または分散液に浸漬すると、支持体中の水（所望の成分濃度０質量％）と浸漬する溶液または分散液（成分を任意の濃度で含む）との間で所望の成分の濃度が平衡状態となり、溶液中または分散液中の所望の成分が支持体内部に吸着または吸収された湿潤組成物を得ることができる。あるいは、支持体から一定量の水分を除去（脱水）した後、所望の成分を含有する溶液または分散液に浸漬して湿潤組成物を得てもよい。このように支持体から一定量の水分を除去すると、所望の成分が支持体に吸着または吸収される効率を上げることができる。支持体から一定量の水分を除去する場合、水分を完全に除去する必要はなく、支持体の飽和湿質量の１質量％以上、好ましくは３質量％以上の水分を除去すればよい。例えば、支持体の質量が飽和湿質量の好ましくは１５質量％以上、より好ましくは３０質量％以上、さらに好ましくは５０質量％以上、最も好ましくは８０質量％以上となるように水分を除去し得る。支持体の質量が飽和湿質量の１０質量％未満となるまで水分を除去すると、支持体の吸水効率が悪くなるおそれがある。支持体の質量を飽和湿質量の１０質量％未満とする場合には、支持体中に含まれる水を、水以外の溶媒（以下に説明）に置換することが好ましい。水分を除去（脱水）する方法についても特に制限されず、例えば、加熱乾燥、減圧濃縮、圧搾、遠心分離などが挙げられる。これらの中でも、圧搾によって水分を除去することが好ましい。
本発明の湿潤組成物を得るために支持体を溶液中または分散液中に浸漬する時間は、支持体の厚さ、用いる溶液、分散液などによって適宜設定され得る。好ましくは１時間以上、より好ましくは３時間以上である。また、長期間（例えば１ヶ月以上）浸漬してもよく、この場合は、溶液または分散液、あるいは支持体に腐食が生じない期間で行うか、あるいは溶液または分散液に防腐剤を添加して行えばよい。
本発明の湿潤組成物の調製に用いる溶液または分散液の溶媒は、セルロースの網目構造を破壊しない溶媒であれば特に制限されない。溶媒としては、好ましくは、水、エタノールなどの極性溶媒が挙げられる。
所望の成分としては、医薬品原料、食品原料、または化粧品原料が挙げられ、上記の溶媒に溶解または分散されている。
例えば食品原料としては、ローヤルゼリー、プロポリス、ビタミン類（Ａ、Ｃ、Ｄ、Ｅ、Ｋ、葉酸、パントテン酸、ビオチン、これらの誘導体など）、ミネラル（鉄、マグネシウム、カルシウム、亜鉛など）、アミノ酸（バリン、ロイシン、イソロイシン、グリシン、プロリン、アルギニン、グルタミン、Ｌ−カルニチン、γ−アミノ酪酸など）、セレン、キチン・キトサン、レシチン、ポリフェノール（カテキン類、プロアントシアニジン、エラグ酸類、ガロタンニン、フラボノイド類および誘導体、クロロゲン酸類など）、カロテノイド（リコピン、アスタキサンチン、ゼアキサンチン、ルテインなど）、キサンチン誘導体（カフェインなど）、脂肪酸、タンパク質（コラーゲン、エラスチンなど）、ムコ多糖類（ヒアルロン酸、コンドロイチン、デルマタン、ヘパラン、ヘパリン、ケタラン、これらの塩など）、アミノ糖（グルコサミン、アセチルグルコサミン、ガラクトサミン、アセチルガラクトサミン、ノイラミン酸、アセチルノイラミン酸、ヘキソサミン、それらの塩など）、オリゴ糖（イソマルトオリゴ糖、環状オリゴ糖など）、リン脂質、スフィンゴ脂質およびその誘導体（ホスファチジルコリン、スフィンゴミエリン、セラミドなど）、ユビキノン（コエンザイムＱ１０など）、α−リポ酸、含硫化合物（アリイン、セパエン、タウリン、グルタチオン、メチルスルホニルメタンなど）、糖アルコール（還元麦芽糖、還元パラチノース、エリスリトールなど）、リグナン類（セサミンなど）、これらを含有する動植物抽出物、根菜類（ウコン、ショウガなど）、麦若葉末などのイネ科植物の緑葉、ケールなどのアブラナ科植物の緑葉などの抽出物が挙げられる。さらに、上記食品原料を含む飲料、例えば、植物発酵ジュース、野菜ジュース（例えば、人参ジュース）、果汁なども利用され得る。また、糖液、糖アルコールなどの調味料を加えて甘味を強くすることもできる。
化粧品原料としては、化粧品基材、化粧品助剤などが挙げられる。このような化粧品原料としては、エタノールなどのアルコール類；１，３−ブチレングリコール、グリセリンなどの多価アルコール類；硬化ヒマシ油、オリーブ油などの油脂類；ポリエチレングリコール、シリコン、架橋型シリコン、ポリアクリル酸、可溶化セルロースなどの使用感に関連する基材（高分子化合物など）；フェノキシエタノール、パラベンなどの防腐剤；アシルグリシンなどの界面活性剤などが挙げられる。さらに、皮膚の改善機能を有する成分としては、美白剤、抗酸化剤、血行促進剤、保湿剤、抗炎症剤、細胞賦活剤、抗菌剤、酵素阻害剤、紫外線防止剤などが挙げられる。以下に各有効成分となり得る物質およびそれらの作用を有する抽出物を例示するが、これらに限定されるものではない。さらに、以下に例示する有効成分の中には、単独で様々な作用を有する成分もあるが、その用途は限定されるものではない。
美白剤は、チロシナーゼ活性を有するものまたはメラニン色素を脱色する活性を有するものが主に用いられる。美白剤としては、例えば、Ｌ−システインおよびその誘導体、アスコルビン酸およびその誘導体、トラネキサム酸誘導体、グラブリジン、リクイリチン、イソリクイリチン、ハイドロキノン、アルブチン、コウジ酸などが挙げられる。さらに、美白剤として美白作用を有する抽出物なども用いられ得、このような抽出物としては、ソウハクヒ抽出物、トウキ抽出物、イブキトラノオ抽出物、ケイケットウ抽出物、クララ抽出物、サンザシ抽出物、シラユリ抽出物、ホップ抽出物、ノイバラ抽出物などが挙げられる。
抗酸化剤としては、例えば、ビタミンＡなどのカロテノイド類、コエンザイムＱ１０、α−リポ酸、ビタミンＢ類、アスコルビン酸、ビタミンＥ、Ｌ−システイン、およびこれらの誘導体、ならびにこれらの塩、リボフラビン、ＳＯＤ、マンニトール、ハイドロキノン、コレステロール、トリプトファン、ヒスチジン、カテキンおよびその誘導体、没食子酸およびその誘導体、ＢＨＴ、ＢＨＡ、プロアントシアニジン、ガロタンニンなどが挙げられる。さらに、抗酸化剤として抗酸化作用を有する植物抽出物なども用いられ得、このような抽出物としては、松樹皮抽出物、ブドウ種子抽出物、イチョウ葉抽出物、ボタンピ抽出物、パセリ抽出物、メリッサ抽出物、オウゴン抽出物などの植物抽出物などが挙げられる。
血行促進剤としては、例えば、塩化カルプロニウム、ジアルキルモノアミン誘導体、ビタミンＥおよびその誘導体、アスパラサポニンなどが挙げられる。さらに、血行促進剤として血行促進作用を有する抽出物なども用いられ得、このような抽出物としては、アルニカ抽出物、センブリ抽出物、延命草抽出物、クジン抽出物、オウギ抽出物、カンキョウ抽出物、コウカ抽出物、サンショウ抽出物、ショウキョウ抽出物、センキュウ抽出物、タンジン抽出物、チクセツニンジン抽出物、朝鮮人参抽出物、トウキ抽出物、ビャクシ抽出物、ボウイ抽出物などの抽出物などが挙げられる。
保湿剤としては、例えば、エチレングリコール、グリセリン、エリスリトール、フェノキシエタノールなどの多価アルコール類；グルコース、ガラクトース、トレハロース、ソルビトール（ソルビット）、キチン誘導体、キトサン誘導体、ムコ多糖類などの糖類；レシチン、ホスファチジルグリセロール、ホスファチジルセリン、スフィンゴミエリンなどの脂質；バリン、ロイシン、フェニルアラニン、トリプトファン、セリン、プロリン、ヒドロキシプロリン、ヒドロキシリジン、アルギニン、オルニチン、ヒスチジン、ピロリドンカルボン酸などのアミノ酸；オリーブ油、ホホバ油、スクワランなどの油脂；シクロデキストリン誘導体、繊維状タンパクであるコラーゲン、エラスチン、加水分解シルク、プラセンタ、細胞間脂質であるステロール、ベタイン、尿素などの天然物保湿因子などが挙げられる。
ムコ多糖類としては、例えば、ヒアルロン酸、コンドロイチン硫酸、デルマタン硫酸、ヘパラン硫酸、ヘパリン、ケラタン硫酸、これらの塩などが挙げられる。
抗炎症剤としては、例えば、グリチルリチン酸、グリチルレチン酸、メフェナム酸、フェニルブタゾン、インドメタシン、イブプロフェン酸、ケトプロフェン、アラントイン、グアイアズレン、およびそれらの誘導体、ε−アミノカプロン酸、酸化亜鉛、ジクロフェナクナトリウム、プロアントシアニジンなどが挙げられる。さらに、抗炎症剤として抗炎症作用を有する抽出物なども用いられ得、このような抽出物としては、ユキノシタ抽出物、カンゾウ抽出物、アロエ抽出物、シコン抽出物、サルビア抽出物、アルニカ抽出物、カミツレ抽出物、シラカバ抽出物、オトギリソウ抽出物、ユーカリ抽出物、ムクロジ抽出物、モモ葉抽出物、松樹皮抽出物、ブドウ種子抽出物、コケモモ抽出物などの動植物の抽出物などが挙げられる。
細胞賦活剤としては、例えば、デオキシリボ核酸およびその塩、アデノシン三リン酸、アデノシン一リン酸などのアデニル酸誘導体およびそれらの塩、リボ核酸およびその塩、グアニン、キサンチン、それらの誘導体などの核酸物質などが挙げられる。さらに、細胞賦活剤として細胞賦活作用を有する抽出物なども用いられ得、このような抽出物としては、血清タンパク抽出物、胎盤抽出物、脾臓抽出物、ローヤルゼリー、ニンジン抽出物、センブリ抽出物、ローズマリー抽出物、オウバク抽出物、ニンニク抽出物、ヒノキチオール、セファランチンなどの動植物抽出物；および酵母、乳酸菌、霊芝などの微生物由来の抽出物が挙げられる。
抗菌剤としては、例えば、エリスロマイシン、クリンダマイシン、ゲンタマイシン、ペニシリン、クロラムフェニコール、テトラサイクリンなどの抗生物質；ベンゾイルパーオキサイド；ナジフロキサシン；エタノール；塩化ベンザルコニウム；イオウ；パラヒドロキシベンゾエートエステル類；サリチル酸；ヒノキチオール；トリクロサン；ホモスルファミン；クロラミンＴ；カテキンおよびそれらの誘導体；キチン・キトサン誘導体などが挙げられる。さらに、抗菌剤として抗菌作用を有する抽出物なども用いられ得、このような抽出物としては、ウイキョウ、オウバク、チャ、ローズヒップ、カミツレ、オレンジ、セイヨウノコギリソウ、ウコン、クチナシ、チョウジ、セージ、ユキノシタ、クローブ、ユーカリ、ヒノキ、スギなどの抽出物が挙げられる。
酵素阻害剤は、肌の角質を構成するコラーゲン、エラスチン、ヒアルロン酸などを分解する分解酵素の阻害剤が主に用いられる。酵素阻害剤としては、例えば、ビタミンＣ、ビタミンＥ、カテキンおよびその誘導体などが挙げられる。さらに、酵素阻害剤として酵素阻害作用を有する抽出物なども用いられ得、このような抽出物としては、ウコン、セイヨウノコギリソウ、ゼニアオイ、タイム、ヤーコン、ローズヒップ、ローズマリー、オトギリソウ、シャクヤク、ガラナ、グアバ、アセンヤク、ブドウ、コケモモ、イチョウ、リンゴ、トマト、松樹皮などの抽出物が挙げられる。
紫外線防止剤としては、パラアミノ安息香酸、サリチル酸ホモエステル、４−メトキシケイ酸−２−エチルヘキシル、２−ヒドロキシ−４−メトキシベンゾフェノン、２−ヒドロキシ−４−メトキシベンゾフェノンスルホン酸およびその塩、４−ｔ−ブチル−４’−メトキシ−ジベンゾイルメタン、ウロカニン酸、酸化チタン、酸化セリウム、酸化亜鉛などが挙げられる。
上記食品原料を吸着または吸収させた湿潤組成物は、そのままの形態で用いてもよく、例えば、湿潤組成物を乾燥して粉末化し錠剤、顆粒などの形態に加工してもよく、あるいは様々な加工品の原料として用いてもよい。
上記化粧品原料を吸着または吸収させた湿潤組成物は、そのままの形態で用いてもよく、例えば、医薬部外品、化粧品、トイレタリー用品などの形態に加工され得る。医薬部外品、化粧品、トイレタリー用品などとしては、例えば、化粧クリーム、乳液、クリーム、パック、パッチ、ヘアトニック、ヘアクリーム、シャンプー、ヘアリンス、トリートメント、ボディシャンプー洗顔剤、石鹸、ファンデーション、白粉、口紅、リップグロス、頬紅、アイシャドー、整髪料、育毛剤、水性軟膏、油性軟膏、歯磨剤、マウスウォッシュ、シップ、ゲルなどが挙げられる。
【実施例】
【０００５】
以下、実施例を挙げて本発明をより詳細に説明するが、本発明は、これらの実施例に限定されるものではない。
（実施例１）
まず、グルコース２５ｇ、酵母エキス５ｇ、およびペプトン３ｇを精製水１０００ｍＬに溶解した。次いで、得られた水溶液のｐＨを６に調整し、オートクレーブで滅菌して培地を調製した。次いで、この培地１００ｍＬに、アセトバクターキシリナム（Ａｃｅｔｏｂａｃｔｅｒ  ｘｙｌｉｎｕｍ  ＩＦＯ１３６９３）を播種し、２５℃で１４日間静置培養を行った。１４日後、培養液の表層に形成されたセルロース膜を回収した。回収した膜を、水でよく洗浄し、１２００ｍＬの２％水酸化ナトリウム溶液で１時間煮沸した。次いで、水で中性になるまで洗浄して、網目構造を有するセルロース膜１を得た。
次いで、このセルロース膜１を水で飽和させて、１ｇの正方形のシート状にカットした。次いで、カットして得られた水飽和状態のセルロース膜１を凍結乾燥し、乾燥質量を測定したところ、０．０４ｇであった。すなわち、このセルロース膜１は、保持し得る水の量が乾燥質量の少なくとも２０倍であることがわかった。この水で飽和させたセルロース膜１を、支持体１とした。
（実施例２）
市販の黒酢に、グルコースを１質量％となるように添加して培地を調製した。次いで、この培地１００ｍＬに、実施例１で用いた微生物を播種し、２５℃で１ヶ月間静置培養して、セルロース膜を得た。このセルロース膜は、実施例１で得られたセルロース膜１に比べて臭いが少なかった。このセルロース膜を実施例１と同様の手順で洗浄し、網目構造を有するセルロース膜２を得た。
（実施例３）
実施例１で得られたセルロース膜１を水で飽和させて、１ｇの正方形のシート状にカットした。次いで、カットして得られた水飽和状態のセルロース膜１を、除去される水分量を測定しながら圧搾した。０．３ｇの水が除去された時点で圧搾を止めて、カットして得られたセルロース膜１の質量が、飽和湿質量の７０質量％となるように調製した。次いで、このカットして得られたセルロース膜１（すなわち、飽和湿質量の７０質量％の質量を有するセルロース膜１）を精製水に一晩浸漬し、質量を測定したところ、０．９８ｇであった。実施例１に記載されているように、セルロース膜１の乾燥質量は、０．０４ｇである。したがって、飽和湿質量の７０質量％の質量を有するセルロース膜１は、保持し得る水の量が乾燥質量の２０倍以上であることがわかった。この飽和湿質量の７０質量％の質量を有するセルロース膜１を支持体２とした。
（比較例１）
実施例１で得られたセルロース膜１を水で飽和させて、１ｇの正方形のシート状にカットした。次いで、カットして得られた水飽和状態のセルロース膜１を、除去される水分量を測定しながら圧搾した。０．９ｇの水が除去された時点で圧搾を止めて、カットして得られたセルロース膜１の質量が、飽和湿質量の１０質量％となるように調製した。次いで、このカットして得られたセルロース膜１（すなわち、飽和湿質量の１０質量％の質量を有するセルロース膜１）を精製水に一晩浸漬し、質量を測定したところ、０．３ｇであった。実施例１に記載されているように、セルロース膜１の乾燥質量は、０．０４ｇである。したがって、飽和湿質量の１０質量％の質量を有するセルロース膜１は、保持し得る水の量が乾燥質量の２０倍以下であることがわかった。すなわち、一旦、多量の水を失ったセルロース膜は、水を再吸収し難くなることがわかった。この飽和湿質量の１０質量％の質量を有するセルロース膜１を支持体３とした。
（実施例４：湿潤組成物の調製）
実施例３および比較例１で得られた支持体２および支持体３を、それぞれ着色色素（商品名：アンカレッドＳＰ５００、ヤエガキ醗酵技研株式会社製）を０．０００１質量％含有する水溶液２０ｍＬに一晩浸漬した。次いで、支持体２および支持体３を水溶液から取り出し、それぞれの支持体の表面を精製水で洗浄して湿潤組成物１（支持体２由来）および湿潤組成物２（支持体３由来）を得た。湿潤組成物１および湿潤組成物２の色の濃さを目視で比較したところ、湿潤組成物１の方が、湿潤組成物２よりも色が濃かった。したがって、支持体２の方が支持体３よりも、効率よく着色色素（成分）を吸着または吸収することがわかった。
（実施例４）
実施例１で得られた支持体１を、以下の成分を含有する水溶液に一晩浸漬し、湿潤組成物３を得た（単位は質量／容量％）。
多価アルコール（グリセリン）    ：  ７
エタノール                      ：  １
防腐剤（パラベン）              ：  ０．２５
ヒアルロン酸                    ：  ０．１
松樹皮抽出物                    ：  ０．００１
得られた湿潤組成物３を皮膚に付着させると、保湿感を感じた。したがって、湿潤組成物３は、優れた保湿作用を有していることがわかった。
【産業上の利用可能性】
【０００６】
本発明の支持体は、機能性成分を含有する溶液または分散液に浸漬することで、溶液中または分散液中の機能性成分を効率よく吸着または吸収することができる。例えば、機能性成分を含有する湿潤組成物を得ることができる。このような支持体および湿潤組成物は、優れた機能性および保湿性を有し、医薬品、食品、医薬部外品、化粧品、トイレタリー製品などの基材として有用である。
【国際調査報告】
2008026295.tif 000002
2008026295.tif 000003
2008026295.tif 000004
2008026295.tif 000005